(57)【要約】【課題】熱可塑性樹脂製の更生管１において、更生作業を簡単かつ迅速に行えるようにしたうえで、止水性能を高めることを可能とする。【解決手段】更生管１は、その引き込み方向後端側に、端縁へ向けて漸次拡径する拡径部１１を有する。この拡径部１１は、その伸縮や撓みを伴う首振り動作が許容される形状とされている。このような更生管１では、埋設本管５側から埋設取付管６側へ引き込む際に、更生管１の拡径部１１がその中心軸線Ｓ２が埋設本管５の中心軸線Ｐに対し略直交するような姿勢になる。そのため、後で更生管１の拡径部１１を径方向外向きに鍔状に拡げて埋設取付管口６３の周縁に押さえ付けるように塑性変形させる際に、拡径部１１を鍔状に拡げやすくなるとともに、鍔状に塑性変形された拡径部１１を埋設取付管口６３の周縁に隙間なく密着させやすくなる。【選択図】図８
2006250248.tif 000002
【特許請求の範囲】
【請求項１】
埋設本管に形成された埋設取付管口に接続される埋設取付管を更生するもので、かつ前記埋設本管側から埋設取付管内に引き込まれてから加熱拡張されることによって外周面が前記埋設取付管の内周面に密接される熱可塑性樹脂製の更生管であって、
その引き込み方向後端側に、端縁へ向けて漸次拡径する拡径部を有し、
この拡径部は、その伸縮や撓みを伴う首振り動作が許容される形状とされていることを特徴とする更生管。
【請求項２】
前記拡径部における前記更生管の本体部分寄りに、前記首振り動作を許容するための折り返し伸縮部が設けられていることを特徴とする請求項１に記載の更生管。
【請求項３】
前記拡径部が、前記首振り動作を許容するために蛇腹形状に形成されていることを特徴とする請求項１に記載の更生管。
【請求項４】
前記拡径部に、前記首振り動作を許容するための同心円状または螺旋状の突条部が設けられていることを特徴とする請求項１に記載の更生管。
【請求項５】
埋設本管に形成された埋設取付管口に接続される埋設取付管を更生するもので、かつ前記埋設本管側から埋設取付管内に引き込まれてから加熱拡張されることによって外周面が前記埋設取付管の内周面に密接される熱可塑性樹脂製の更生管であって、
その引き込み方向後端側に、端縁へ向けて漸次拡径する拡径部を有し、
この拡径部は、更生管の本体部分と別体に形成されて該本体部分に相対回動可能に取り付けられかつ拡径部の端縁が更生管の本体部分の中心軸線と直交する面に対し所定角度傾いた形状とされていることを特徴とする更生管。
【請求項６】
埋設本管に形成された埋設取付管口に接続される埋設取付管を、請求項１から５のいずれかに記載の更生管を用いて更生する方法であって、
前記更生管の拡径部に、更生管の内部に加熱媒体を導入するための加熱媒体導入管が接続された第１後端部材を装着すると共に、更生管の引き込み方向先端側に、前記更生管を埋設取付管内に向けて引き込むための牽引材が接続された先端部材を装着し、且つこの更生管の内部に上記加熱媒体導入管より加熱媒体を導入可能な状態として、更生管を反拡径部側から埋設本管を経て埋設取付管内に挿入する更生管挿入工程と、
この更生管挿入工程によって上記拡径部を上記埋設取付管口周辺に当接させる位置まで更生管を埋設取付管内に引き込んだ後に、上記第１後端部材を更生管から離脱させ、第２後端部材をこの更生管に装着する後端部材入れ換え工程と、
この後端部材入れ換え工程の後、フランジ成形装置によって上記拡径部を埋設取付管口周辺に押さえ付けて密着させる止水工程及び更生管の外面を埋設取付管内面に密着させる更生管拡径工程を行うことを特徴とする埋設取付管の更生方法。
【請求項７】
請求項６に記載の埋設取付管の更生方法において、
前記フランジ成形装置は、内部に水蒸気または空気が導入されて膨張するパッカにより構成されており、止水工程では、このパッカが埋設本管内の埋設取付管口近傍に位置した状態でパッカ内に水蒸気または空気を導入して、パッカ外面により更生管の拡径部を埋設取付管口周辺に押さえ付けるようにしていることを特徴とする埋設取付管の更生方法。
【発明の詳細な説明】
【技術分野】
【０００１】
本発明は、地中に埋設された埋設取付管を更生するのに用いる更生管、ならびに前記更生管を用いて埋設取付管を更生する方法に関する。
【背景技術】
【０００２】
地中には下水用等の各種管路が埋設されている。この管路は、一般に、マンホール間を連通する埋設本管と、この埋設本管に接続された複数本の埋設取付管（枝管）とから構成されている。
【０００３】
埋設取付管は、通常、地表付近に設けられた桝と地中の埋設本管とを連通するように設けられるが、埋設本管やマンホールとは異なり、管径が小さく簡易的に構成されている。
【０００４】
そのため、埋設取付管の老朽化に伴ってその内面に破損や亀裂が生じることが多い。そこで、老朽化した埋設取付管を更生する方法が考えられている（例えば特許文献１参照。）。
【０００５】
この方法は、熱可塑性樹脂製の更生管を桝側から埋設取付管内に挿入し、その先端部分を埋設本管内まで引き込んだ後に（更生管挿入工程）、更生管の内部を加熱及び加圧して更生管を拡張させて埋設取付管の内周面に密着させる（更生管拡径工程）。その後、埋設本管内において更生管の先端部分を切断して、この切断端部分を埋設本管の埋設取付管口の周縁に向かって押し広げてフランジ状の鍔返し部を成形し、これによって埋設本管と埋設取付管との接続箇所の止水性を確保するようにしている。
【０００６】
この他、更生管を埋設本管側から挿入して埋設取付管側に引き込む施工方法が考えられている（例えば特許文献２参照。）。
【０００７】
なお、この施工方法では、更生管の引き込み方向後端側（挿入工程完了時に埋設取付管口に対応する箇所）に予めフランジを成形しており、それによって、上記特許文献１における鍔返し工程を省略している。
【特許文献１】特開２００３−１５９７５０号公報
【特許文献２】特開２００３−１１２２３号公報
【発明の開示】
【発明が解決しようとする課題】
【０００８】
上記特許文献２に係る従来例では、更生管の引き込み方向後端部分を埋設取付管の内端側開口部に倣わせて配置させることが困難な場合がある。このように位置合わせがラフになった場合には、更生管の引き込み方向後端のフランジと埋設本管の埋設取付管口との間に大きな隙間ができるため、止水性能が不十分となりかねない。
【０００９】
そこで、この更生管の引き込み方向後端部分に対し、上記特許文献１に係る従来例のような鍔返し工程を行うことで対処できると考えられるが、その場合でも、上述したように位置合わせがラフになっていると、鍔返ししたときに、そこが弛みやすくなって、上記同様に止水性能が不十分となるおそれがある。
【００１０】
本発明は、埋設本管の埋設取付管口側から埋設取付管内へ引き込まれる更生管において、更生作業を簡単かつ迅速に行えるようにしたうえで、止水性能を高めることを可能とすることを目的としている。
【課題を解決するための手段】
【００１１】
本発明に係る更生管は、埋設本管に形成された埋設取付管口に接続される埋設取付管を更生するもので、かつ前記埋設本管側から埋設取付管内に引き込まれてから加熱拡張されることによって外周面が前記埋設取付管の内周面に密接される熱可塑性樹脂製の更生管であって、その引き込み方向後端側に、端縁へ向けて漸次拡径する拡径部を有し、この拡径部は、その伸縮や撓みを伴う首振り動作が許容される形状とされていることを特徴としている。
【００１２】
この構成によれば、更生管を埋設本管側から埋設取付管側へ引き込む際に、更生管の拡径部が埋設取付管の内側開口の角部に当接すると、自動的に拡径部の一部が伸びるとともに撓むことになって拡径部が更生管の本体部分に対し傾くようになるので、当該拡径部がその中心軸線が埋設本管の中心軸線に対し略直交するような姿勢になる。このような状態で更生管を埋設取付管に挿入できれば、その後で、更生管の拡径部を径方向外向きに鍔状に拡げて埋設取付管口の周縁に押さえ付けるように塑性変形させる作業を行う際に、拡径部を拡げやすくなるとともに、鍔状に塑性変形された拡径部を埋設取付管口の周縁に隙間なく密着させやすくなる。
【００１３】
特に、更生対象となる埋設取付管の少なくとも内側部分の中心軸線が、埋設本管の中心軸線と略直交する面に対し傾いているような場合において、本発明のように更生管の拡径部が自動首振りするようになっていれば、上記塑性変形作業を容易に行うようにするうえで有利となる。
【００１４】
上記更生管における首振り動作を許容する構成として、前記拡径部における前記更生管の本体部分寄りに折り返し伸縮部を設けるか、または、前記拡径部を蛇腹形状に形成するか、あるいは、前記拡径部に同心円状または螺旋状の突条部を設けるものとすることができる。
【００１５】
本発明に係る更生管は、埋設本管に形成された埋設取付管口に接続される埋設取付管を更生するもので、かつ前記埋設本管側から埋設取付管内に引き込まれてから加熱拡張されることによって外周面が前記埋設取付管の内周面に密接される熱可塑性樹脂製の更生管であって、その引き込み方向後端側に、端縁へ向けて漸次拡径する拡径部を有し、この拡径部は、更生管の本体部分と別体に形成されて該本体部分に相対回動可能に取り付けられかつ拡径部の端縁が更生管の本体部分の中心軸線と直交する面に対し所定角度傾いた形状とされていることを特徴としている。
【００１６】
この構成によれば、特に、更生対象となる埋設取付管の少なくとも内側部分の中心軸線が、埋設本管の中心軸線と略直交する面に対し傾いているような場合において、更生管を埋設本管側から埋設取付管側へ引き込む際に、更生管の拡径部が埋設取付管の内側開口の角部に当接すると、自動的に更生管の拡径部が更生管の本体部分に対し相対回転することになって、当該拡径部がその中心軸線が埋設本管の中心軸線に対し略直交するような姿勢になる。これにより、上述した塑性変形作業を容易に行えるようになる。
【００１７】
本発明に係る埋設取付管の更生方法は、埋設本管に形成された埋設取付管口に接続される埋設取付管を、請求項１から５のいずれかに記載の更生管を用いて更生する方法であって、前記更生管の拡径部に、更生管の内部に加熱媒体を導入するための加熱媒体導入管が接続された第１後端部材を装着すると共に、更生管の引き込み方向先端側に、前記更生管を埋設取付管内に向けて引き込むための牽引材が接続された先端部材を装着し、且つこの更生管の内部に上記加熱媒体導入管より加熱媒体を導入可能な状態として、更生管を反拡径部側から埋設本管を経て埋設取付管内に挿入する更生管挿入工程と、この更生管挿入工
程によって上記拡径部を上記埋設取付管口周辺に当接させる位置まで更生管を埋設取付管内に引き込んだ後に、上記第１後端部材を更生管から離脱させ、第２後端部材をこの更生管に装着する後端部材入れ換え工程と、この後端部材入れ換え工程の後、フランジ成形装置によって上記拡径部を埋設取付管口周辺に押さえ付けて密着させる止水工程及び更生管の外面を埋設取付管内面に密着させる更生管拡径工程を行うことを特徴としている。
【００１８】
この構成によれば、更生管を埋設本管側から埋設取付管側へ引き込む際に、更生管の拡径部が埋設取付管の内側開口の角部に当接すると、自動的に拡径部の一部が伸びるとともに撓むことになって拡径部が更生管の本体部分に対し傾くようになるので、当該拡径部がその中心軸線が埋設本管の中心軸線に対し略直交するような姿勢になる。このような状態で更生管を埋設取付管に挿入できれば、その後で、更生管の拡径部を径方向外向きに鍔状に拡げて埋設取付管口の周縁に押さえ付けるように塑性変形させる更生管拡径工程を行う際に、鍔状に塑性変形された拡径部を埋設取付管口の周縁に隙間なく密着させやすくなる。
【００１９】
特に、更生対象となる埋設取付管の少なくとも内側部分の中心軸線が、埋設本管の中心軸線と略直交する面に対し傾いているような場合において、本発明のように更生管の拡径部が自動首振りするようになっていれば、上記更生管拡径工程での塑性変形作業を容易に行うようにするうえで有利となる。
【００２０】
しかも、上記方法では、更生管の内部に加熱媒体（例えば水蒸気）を導入可能としているから、更生管の引き込み過程において、継続的あるいは間欠的に更生管を柔軟にすることが可能になり、更生管の拡径部が撓みやすくなる。
【００２１】
上記更生方法において、前記フランジ成形装置は、内部に水蒸気または空気が導入されて膨張するパッカにより構成されており、止水工程では、このパッカが埋設本管内の埋設取付管口近傍に位置した状態でパッカ内に水蒸気または空気を導入して、パッカ外面により更生管の拡径部を埋設取付管口周辺に押さえ付けるようにすることができる。
【００２２】
この構成によれば、更生管の拡径部を埋設取付管口周辺に隙間なく密に押さえ付けることが可能になり、そのため、埋設取付管口周辺の止水性能を向上するうえで有利となる。
【発明の効果】
【００２３】
本発明によれば、更生管を埋設本管側の埋設取付管口から挿入して埋設取付管内に引き込むと、更生管の拡径部が自動的に首振り動作して当該拡径部がその中心軸線が埋設本管の中心軸線に対し略直交するような姿勢になる。これにより、後で更生管の拡径部を径方向外向きに鍔状に塑性変形させる際に、拡径部を鍔状に拡げやすくなるとともに、拡径部が従来例のように弛んで皺になりにくくなるので、止水性能の向上に貢献できるようになる。
【発明を実施するための最良の形態】
【００２４】
以下、本発明の一実施の形態を図１から図１１に示して説明する。
【００２５】
図１に、本発明の一実施形態に係る更生管を示している。図示するように、更生管１は、例えば地中等に埋設される管が老朽化または破損した場合等に該埋設管を更生するのに使用されるものであり、円筒形に形成されているとともに、その一端側に端縁へ向けて漸次拡径する円錐形状の拡径部１１が設けられている。
【００２６】
この更生管１の本体部分に対する拡径部１１との連接部分には、径方向外側に折り返されて重ねられた折り返し伸縮部１２が設けられている。
【００２７】
この実施形態では、拡径部１１および折り返し伸縮部１２についての肉厚は、更生管１の本体部分の肉厚に比べて薄く設定されていて、柔軟性を可及的に向上させるようになっている。
【００２８】
なお、更生管１は、ポリ塩化ビニルや高密度ポリエチレン等の熱可塑性樹脂からなり、その断面形状は略楕円形に形成されているが、所定の形状記憶温度（例えば８０℃）に加熱及び加圧されることによって円筒状態に形状回復する性能を有している。
【００２９】
このような更生管１であれば、後で詳細に説明するが、状況に応じて更生管１の本体部分に対し拡径部１１が伸縮や撓みを伴って首振り動作するようになる。
【００３０】
次に、上記更生管１を用いて例えば地中に埋設している管を更生する方法（ライニング作業）について、図２から図１１を参照して説明する。
【００３１】
まず、図２において、４は地表面に開放するよう略垂直方向に沿って設けられるマンホール、５は地中に水平方向に埋設される埋設本管、６は地表面に開放する桝６１と埋設本管５とを繋ぐ埋設取付管である。
【００３２】
図２では、埋設取付管６の内側部分の中心軸線を、埋設本管５の中心軸線Ｐに対し約６０°傾いたものを例に挙げている。このような埋設取付管６を更生する際に、上述した更生管１は好適に用いられる。
【００３３】
更生方法としては、要するに、更生管１をマンホール４から挿入し、埋設本管５を経て埋設取付管６内に引き込むようにし、埋設取付管６内で更生管１を加熱拡張することによって更生管１の外周面を埋設取付管６の内周面に密着させるようにする。
【００３４】
以下、具体的に説明する。
【００３５】
ライニング作業は、埋設取付管６内面の高圧水洗浄及びテレビカメラによる管内調査が行われた後に実行される。また、ライニング作業は、更生管挿入工程、後端栓入れ換え工程、埋設取付管口止水工程、更生管拡径工程からなる。更に、ライニング作業は、埋設本管５の内面が同様の更生管によってライニングされた後に行われる場合もあるし、埋設本管をライニングすることなしに行う場合もある。ここでは、説明を簡単にするために後者の場合について説明する。
【００３６】
＜更生管挿入工程＞
準備段階として、図３に示すように、更生管１の引き込み方向先端に先端栓（先端部材）２を、また、更生管１の拡径部１１に第１後端栓（第１後端部材）３を閉塞状態で取り付けることにより、更生管１の内部を略気密状態とする。なお、第１後端栓３は、後で第２後端栓（第２後端部材）７に取り替えられる。
【００３７】
先端栓２には、更生管１を引っ張るための牽引用ワイヤ（牽引材）２１が連結されるとともに、更生管１を柔軟にするための加熱媒体（例えば水蒸気）を供給する蒸気ホース（図９の状態における符号３１参照）が接続される。この先端栓２には、蒸気ホースから水蒸気が導入される際の過剰の水蒸気やドレン水を管外に排出するための排気チューブ（図１１の状態における符号３２参照）を挿通する開口（図示省略）が形成されている。
【００３８】
一方、第１後端栓３は、更生管１の素材よりも軟化点の高いゴムや合成樹脂等からなり、中実の円錐台形状の挿入部３Ａと、この挿入部３Ａの底部に一体的に形成された円盤状
の平板部３Ｂとを備えている。挿入部３Ａの形状は、上記更生管１の拡径部１１の内側空間の形状に略一致している。また、平板部３Ｂは、その外径寸法が更生管１の拡径部１１の外径寸法よりも大きく設定されている。第１後端栓３には、蒸気ホース（加熱媒体導入管）３１が固定状態で接続される貫通孔３Ｃが設けられていると共に、排気チューブ３２が挿通される比較的小径の貫通孔３Ｄが形成されている。蒸気ホース３１は地上に設置された蒸気発生加熱機４２に接続されている。また、この第１後端栓３の先端（挿入部３Ａの先端面）には後端栓用ワイヤ３３が接続されている。具体的には、挿入部３Ａの先端面に後端栓用ワイヤ３３の着脱を可能にする接続金具３４が取り付けられており、後端栓用ワイヤ３３の端部がこの接続金具３４に接続されている。また、上記先端栓２には、この後端栓用ワイヤ３３を挿通するための比較的小径の開口（図示省略）が形成されており、この開口に後端栓用ワイヤ３３が挿通されることによって、この後端栓用ワイヤ３３が更生管１の先端側に引き出されている。
【００３９】
さらに、第２後端栓７は、中実の円錐台形状に形成されており、その大きさは、更生管１の拡径部１１の内側空間の形状に略一致している。この第２後端栓７の先端面には、後端栓用ワイヤ３３が接続可能な接続金具７１が取り付けられ、第２後端栓７の後端面には、ライニング作業完了後に第２後端栓７を回収するための回収用ワイヤ７２が接続されている。
【００４０】
このような準備をした所定長さの更生管１をマンホール４側の地上に配置する。なお、このときの更生管１の長さは、更生対象となる埋設取付管６の長さより僅かに長く（５００ｍｍ程度長く）するのが好ましい。
【００４１】
そして、牽引用ワイヤ２１及び後端栓用ワイヤ３３の先端側を、桝６１側から挿入してマンホール４の地表面開口に導いておき、牽引用ワイヤ２１の先端を先端栓２に、また、後端栓用ワイヤ３３の先端を第１後端栓３にそれぞれ取り付ける。
【００４２】
牽引用ワイヤ２１の基端は、桝６１の上部に設置された矢倉６４に吊り下げられる滑車６４ａに巻き掛けられており、必要に応じてウィンチ６２で引っ張られる。
【００４３】
この後、更生管１の内部に蒸気発生加熱機４２で水蒸気を導入して予熱することにより更生管１を軟化しておいて、この更生管１をマンホール４内に送り出しながら、先端栓２に連結した牽引用ワイヤ２１をウィンチ６２で引っ張ることにより、図４に示すように、更生管１が埋設本管５を経て埋設取付管６内に引き込むとともに、更生管１の拡径部１１を埋設取付管口６３の角部に当接させる。
【００４４】
なお、上記更生管１の引き込み過程において、更生管１の可撓性が不足すると、蒸気発生加熱機４２で発生した水蒸気を更生管１の内部に導入するようにしており、更生管１の内部の過剰な水蒸気やドレン水は排気チューブ３２から排出される。
【００４５】
＜後端栓入れ換え工程＞
更生管１に装着されている第１後端栓３を第２後端栓７と入れ換える。
【００４６】
先ず、図４において、マンホール４側から蒸気ホース３１を引っ張って、図５に示す第１後端栓３を更生管１の後端部から離脱させてマンホール４側から回収する。この回収時には、第１後端栓３がマンホール４側に移動するのに伴って後端栓用ワイヤ３３及び排気チューブ３２もマンホール４側に移動していく。
【００４７】
このようにして回収された第１後端栓３から後端栓用ワイヤ３３を取り外し、予め用意しておいた第２後端栓７の接続金具７１に後端栓用ワイヤ３３の先端を接続する。この作
業はマンホール４内またはこのマンホール４上の地上で行われる。
【００４８】
その後、図６に示すように後端栓用ワイヤ３３を桝６１側から引っ張ることにより、第２後端栓７は埋設取付管口６３に向けて埋設本管５内を移動していき、この埋設取付管口６３に達した際に、図７に示すように、更生管１の後端部、つまり拡径部１１の内部に嵌め込まれる。これにより、再び、更生管１の内部は略気密状態とされる。また、この拡径部１１の内部に第２後端栓７が嵌め込まれる。
【００４９】
このように拡径部１１に第２後端栓７を装着してから、後端栓用ワイヤ３３を引っ張ると、図７に示すように、更生管１の拡径部１１が埋設取付管６の内側開口の角部に当接しているので、図８に示すように、自動的に拡径部１１の一部が折り返し伸縮部１２により伸びるとともに撓むことになって、拡径部１１の中心軸線Ｓ２が更生管１の本体部分の中心軸線Ｓ１に対し所定角度θ傾き、結果的に、拡径部１１がその中心軸線Ｓ２が埋設本管５の中心軸線Ｐに対し略直交するような姿勢になる。
【００５０】
このような状態にできれば、後で説明する更生管拡径工程（更生管１の拡径部１１を径方向外向きに鍔状に拡げて埋設取付管口６３の周縁に押さえ付けるように塑性変形させる作業）を行う際に、拡径部１１を拡げやすくなるとともに、鍔状に塑性変形された拡径部１１を埋設取付管口６３の周縁に隙間なく密着させやすくなる。
【００５１】
＜埋設取付管口止水工程・更生管拡径工程＞
本形態では、埋設取付管口止水工程と更生管拡径工程とを略同時に行うようにしている。
【００５２】
つまり、図９および図１０に示すように、埋設本管５内における埋設取付管口６３の近傍位置にパッカ８を搬入するとともに、先端栓２に設けられているホース接続部に蒸気ホース３１を接続し、この蒸気ホース３１を蒸気発生加熱機４２に接続する。
【００５３】
なお、パッカ８とは、ゴム製袋体からなり、内部に圧力流体（例えば空気）を導入していないときに埋設本管５の内径寸法より小径の円筒形状になっているが、エアポンプ（図示省略）を駆動してエア導入管８１から空気を導入すると埋設本管５の内径寸法程度またはそれ以上の径まで拡径する。このパッカ８の搬入は、パッカ８の側面に取り付けられた牽引用のワイヤ８２の一端を、マンホール側（埋設取付管６よりも下流側（図９における右側）のマンホール側）に引き出しておいて、このワイヤ８２を引っ張ることにより行う。
【００５４】
このような準備をしてから、蒸気発生加熱機４２を駆動することによって更生管１の内部にその先端側から水蒸気を吹き込んで、更生管１の全体を軟化させる。
【００５５】
その後、上記エアポンプを駆動することによってパッカ８内に空気を導入してパッカ８を拡張させる。これにより、図１１に示すように、パッカ８の外周面が更生管１の拡径部１１を埋設取付管口６３の周縁に向けて押圧し、この拡径部１１をフランジ形状に塑性変形させて埋設取付管口６３の周縁に密着させる。この際、更生管１は蒸気発生加熱機４２からの水蒸気によって加熱されて可撓性を有しており、拡径部１１は容易にフランジ形状に塑性変形されて埋設取付管口６３の周縁に密着する。また、この拡径部１１の外周面（埋設取付管口６３の周縁に密着する箇所）には、予めブチルゴム等の粘着性を有する材料が塗布されている。このため、この塑性変形によってフランジ形状となった拡径部１１は埋設取付管口６３の周縁に接着することになり、この部分の止水性が良好に得られることになる。
【００５６】
その後、蒸気ホース３１から高圧の空気が更生管１内に導入されて更生管１が拡径される。これにより、更生管１は、外径が拡大していき埋設取付管６の内面に密着する。また、上記高圧空気の導入に伴って更生管１は冷却され、この埋設取付管６の内面に密着した状態で更生管１が硬化してこの形状が保持される。これにより、埋設取付管６の内面がライニングされる。この過程での更生管１内における過剰の水蒸気やドレン水は、先端栓２から更生管１内部に挿入された排気チューブ３２をから管外に排出される。
【００５７】
その後、桝６１内に存在する余剰の更生管１を先端栓２と共に切除し、この切断縁の仕上げ加工を行う。また、パッカ８からエアを抜いてパッカ８を地上に回収し、第２後端栓７を回収用ワイヤ７２を引っ張ることによってマンホール４側に引き抜いて回収し、更に、矢倉６４を撤去することによってライニング作業が完了する。
【００５８】
以上説明したように、本実施形態では、埋設取付管６内に更生管１を引き込んだ状態において、更生管１の拡径部１１をその中心軸線Ｓ２が埋設本管５の中心軸線Ｐに対し略直交するような姿勢にできる。
【００５９】
換言すれば、拡径部１１の開口端縁が埋設本管５の中心軸線Ｐに対し略平行になるので、後で更生管拡径工程において、拡径部１１の開口端縁をパッカ８の外周面と略平行となってパッカ８の拡張に伴い拡径部１１の全周に略均等に圧力を付加できるようになる等、作業が行いやすくなる。
【００６０】
これにより、鍔状に塑性変形された拡径部１１を埋設取付管口６３の周縁に隙間なく密着させやすくなるので、埋設取付管口６３周辺の止水性能を向上するうえで有利となる。
【００６１】
以下、本発明の他の実施形態を説明する。
【００６２】
（１）図１２に示すように、更生管１の拡径部１１を蛇腹形状とすることができる。この場合でも、図１３および図１４に示すように、上記実施形態と同様、拡径部１１が蛇腹によって容易に伸縮したり撓んだりすることで拡径部１１の中心軸線Ｓ２が更生管１の本体部分の中心軸線Ｓ１に対し所定角度θ傾いて、拡径部１１の開口端縁が埋設本管５の中心軸線Ｐに対し略平行になる。このような好ましい姿勢となるので、更生管拡径工程を簡単かつ迅速に行えるとともに、止水性能の向上が可能となる。
【００６３】
（２）図１５に示すように、更生管１の拡径部１１の外周に同心円形状の突条部１４を設けることによって、蛇腹形状と同様の可撓性を得るようにすることができる。この場合も、図１６および図１７に示すように、上記各実施形態と同様、拡径部１１が蛇腹状に容易に伸縮したり撓んだりすることで、拡径部１１の開口端縁が埋設本管５の中心軸線Ｐに対し略平行となるので、更生管拡径工程を簡単かつ迅速に行えるとともに、止水性能の向上が可能となる。
【００６４】
（３）図１８に示すように、更生管１の拡径部１１を、更生管１の本体部分と別体に形成して更生管１の本体部分に相対回動可能に取り付けかつ拡径部１１の端縁を更生管１の本体部分の中心軸線Ｓ１と直交する面Ｆに対し所定角度α傾かせている。そして、拡径部１１の最小径側には、径方向内向きの鍔１３が設けられており、更生管１の本体部分の端縁には、径方向外向きの鍔１ａが設けられている。これらの両鍔１５、１ａがＯリング１６を介して中心軸線Ｓ１方向に引っ掛けられている。
【００６５】
この場合、図１９に示すように、拡径部１１が、斜めに延びる埋設取付管６の内側開口部と合致しない状態になったとしても、更生管１の引き込み動作に伴い拡径部１１が自動的に所定方向に回転することによって、図２０に示すように、上記各実施形態と同様、拡
径部１１の開口端縁が埋設本管５の中心軸線Ｐに対し略平行になる。したがって、更生管拡径工程を簡単かつ迅速に行えるとともに、止水性能の向上が可能となる。
【００６６】
（４）図２１から図２４に示すように、図１、図１２、図１５、図１８に示した実施形態の拡径部１１の先端に径方向外向きの鍔部１８を設けてもよい。この場合、上述した拡径工程を省略することができる。この場合も、更生管１を埋設取付管６内に引き込むだけで、拡径部１１の鍔部１８が埋設本管５の中心軸線Ｐと略平行となるから、更生管１を深く引き込むだけで、鍔部１８を埋設取付管口６３の周縁に隙間なく密着させることが可能になる。
【００６７】
（５）上記各実施形態では、更生管１に可撓性を得るための加熱媒体として水蒸気を使用したが、熱風等の気体を使用してもよい。
【００６８】
（６）上記各実施形態では、埋設本管５の中心軸線Ｐに対して約６０°の傾斜角度をもって接続された埋設取付管６を更生する場合について説明したが、埋設本管５の中心軸線Ｐに対して約９０°の角度をもって接続された埋設取付管６など、種々の接続角度を有する場合であっても適用可能である。
【００６９】
（７）上記各実施形態で用いる第１後端栓３の挿入部３Ａ及び第２後端栓７の形状を円錐台形状としたが、これに限らず半球体状など種々の形状が採用可能である。
【００７０】
（８）上記各実施形態で用いる第１後端栓３としては、内部にエア等の流体を導入することによって外径が可変とされる部材（所謂パッカ部材）で構成してもよい。この場合、第１後端栓３を更生管１に装着している時には第１後端栓３の内部に流体を導入して拡径させておき、上記後端栓入れ換え工程時には、第１後端栓３から流体を抜いて縮径させるようにする。
【図面の簡単な説明】
【００７１】
【図１】実施形態に係る更生管を一部破断して示す側面図である。
【図２】図１の更生管で埋設取付管を更生する作業風景全体を示す断面図である。
【図３】図１の更生管を用いて埋設取付管を更生する過程で使用する第１、第２後端栓を示す図である。
【図４】図１の更生管の挿入完了状態を示す作業風景全体の断面図である。
【図５】図４の状態から第１後端栓を離脱する様子を示す要部の断面図である。
【図６】図５の状態から第２後端栓を装着する様子を示す要部の断面図である。
【図７】図６の状態から第２後端栓を装着した状態を示す要部の断面図である。
【図８】図７の状態から更生管の拡径部が首振りした状態を拡大して示す要部の断面図である。
【図９】図８の状態から埋設本管内にパッカを引き込んだ状態を示す作業風景全体の断面図である。
【図１０】図９の更生管の内側部分を拡大して示す要部の断面図である。
【図１１】図１０の更生管の拡径部を塑性変形させるとともに更生管全体を拡張した状態を示す要部の断面図である。
【図１２】他の実施形態に係る更生管を一部破断して示す側面図である。
【図１３】図１２の更生管で、図７に対応する図である。
【図１４】図１３の続きで、図１０に対応する図である。
【図１５】さらに他の実施形態に係る更生管を一部破断して示す側面図である。
【図１６】図１５の更生管で、図７に対応する図である。
【図１７】図１６の続きで、図１０に対応する図である。
【図１８】さらに他の実施形態に係る更生管を一部破断して示す側面図である。
【図１９】図１８の更生管で、図７に対応する図である。
【図２０】図１９の続きで、図１０に対応する図である。
【図２１】図１の実施形態に係る更生管の応用例で、図１に対応する図である。
【図２２】図１２の実施形態に係る更生管の応用例で、図１２に対応する図である。
【図２３】図１５の実施形態に係る更生管の応用例で、図１５に対応する図である。
【図２４】図１８の実施形態に係る更生管の応用例で、図１８に対応する図である。
【符号の説明】
【００７２】
１      更生管
１１      拡径部
１２      折り返し伸縮部
５      埋設本管
６      埋設取付管
６３      埋設取付管口
【図１】
2006250248.tif 000003
【図２】
2006250248.tif 000004
【図３】
2006250248.tif 000005
【図４】
2006250248.tif 000006
【図５】
2006250248.tif 000007
【図６】
2006250248.tif 000008
【図７】
2006250248.tif 000009
【図８】
2006250248.tif 000010
【図９】
2006250248.tif 000011
【図１０】
2006250248.tif 000012
【図１１】
2006250248.tif 000013
【図１２】
2006250248.tif 000014
【図１３】
2006250248.tif 000015
【図１４】
2006250248.tif 000016
【図１５】
2006250248.tif 000017
【図１６】
2006250248.tif 000018
【図１７】
2006250248.tif 000019
【図１８】
2006250248.tif 000020
【図１９】
2006250248.tif 000021
【図２０】
2006250248.tif 000022
【図２１】
2006250248.tif 000023
【図２２】
2006250248.tif 000024
【図２３】
2006250248.tif 000025
【図２４】
2006250248.tif 000026